(57)【要約】【課題】チップに着床した微生物での働きを高め、汚物やゴミの被処理物を効率的に分解可能とする。【解決手段】撹拌翼６の上方において、処理槽５の中心部に向かって水平方向に突出するように堰止板が処理槽５の内面に固定されており、堰止板２６は、その前面側に撹拌翼６で旋回方向に押し出されるチップ７及び汚物２７を一時的に堰き止めて、撹拌翼６は、堰止板２６の背面側（又はチップの量が少ない時には前面側）でチップ７及び汚物２７を旋回方向に押し出して陥没部を形成し、さらに堰き止められたチップ７及び汚物２７を堰止板２６を乗り越えさせて（又は乗り越えさせる前に）陥没部３６に落とし込み、撹拌翼６でチップ７及び汚物２７を撹拌する際に生じる塊の発生を防止し、チップ７及び汚物２７を空気に曝しながら撹拌し微生物の働きを高め、十分な汚物２７の分解を可能とする。【選択図】図４
2006000813.tif 000002
【特許請求の範囲】
【請求項１】
円筒形の処理槽と、該処理槽に設けられた水平方向に旋回する撹拌翼とを有し、前記処理槽内に微生物を着床したチップが収容されており、被処理物を前記微生物で発酵させて分解して処理するバイオ処理装置であって、
前記撹拌翼の上方において、該処理槽の中心部に向かって水平方向に突出するように堰止板が前記処理槽の内面に固定されており、
前記堰止板は、その前面側に前記撹拌翼で旋回方向に押し出される前記チップ及び被処理物を一時的に堰き止めて、
前記撹拌翼は、前記堰き止め板の背面側でチップ及び被処理物を旋回方向に押し出して陥没部を形成し、さらに前記堰き止められたチップ及び被処理物を前記堰止板を乗り越えさせて前記陥没部に落とし込むことを特徴とするバイオ処理装置。
【請求項２】
円筒形の処理槽と、該処理槽に設けられた水平方向に旋回する撹拌翼とを有し、前記処理槽内に微生物を着床したチップが収容されており、被処理物を前記微生物で発酵させて分解して処理するバイオ処理装置であって、
前記撹拌翼の上方において、該処理槽の中心部に向かって水平方向に突出するように堰止板が前記処理槽の内面に固定されており、
前記堰止板は、その前面側に前記撹拌翼で旋回方向に押し出される前記チップ及び被処理物を一時的に堰き止めて、
前記撹拌翼は、前記堰き止め板の前面側でチップ及び被処理物を旋回方向に押し出して陥没部を形成し、さらに前記堰き止められたチップ及び被処理物を前記陥没部に落とし込むことを特徴とするバイオ処理装置。
【請求項３】
前記堰止板は、前記撹拌翼の旋回方向の反対側の方向に向けて下方に傾斜した堰止部本体と、堰止部本体の上部に形成された水平又は前記撹拌翼の旋回方向の反対側の方向に向けて下方に傾斜した頂部とを備えていることを特徴とする請求項１又は２記載のバイオ処理装置。
【請求項４】
前記堰止板は、互いに１８０°間隔をおいて対向配置されていることを特徴とする請求項１、２又は３記載のバイオ処理装置。
【発明の詳細な説明】
【技術分野】
【０００１】
この発明は、汚物や生ゴミ等の被処理物を微生物により分解して処理する処理槽（本発明ではこれを「バイオ処理装置」と言う。）に関し、特に、介護用のバイオトイレに好適なバイオ処理装置に関する。
【背景技術】
【０００２】
従来、トイレにおける汚物や生ゴミを、微生物を着床したチップ（木屑）を収容した処理槽内に入れて加温して撹拌し、微生物により発酵させて、水と炭酸ガスに分解して処理する処理装置は知られている（特許文献１、２参照）。
【０００３】
図７は、本発明者が既に開発した介護用の従来のバイオトイレに利用したバイオ処理装置３７を説明する図であり、図７（ａ）、（ｃ）は平面図であり、これらの平面図のそれぞれに対する断面図を図７（ｂ）、（ｄ）で示す。この従来のバイオトイレのバイオ処理装置３７は、処理槽５内に、撹拌翼６がモータ及び減速機から成る駆動機構２４により、水平方向に旋回可能に設けられている。
【０００４】
この処理槽５内には、微生物を着床したチップ７が収容されており、被処理物であるトイレからの汚物２７を処理槽内に落下しチップ７内に混入する。チップ７及び汚物２７は、撹拌翼６により旋回し、撹拌されて混合するとともに空気（酸素）に接触させて、微生物により汚物を発酵し、分解処理するものである。
【特許文献１】特開２００３−１７４９８２号公報
【特許文献２】特開平９−１１１９号公報
【発明の開示】
【発明が解決しようとする課題】
【０００５】
本発明者は、上記図７に示す従来のバイオトイレのバイオ処理装置３７を試作して、その有効性を実証する実験を繰り返した。このバイオ処理装置３７では、図７（ａ）、（ｂ）に示すように、撹拌翼６を旋回させてチップ及び汚物２７を撹拌すると、撹拌翼６はチップ７及び汚物２７を旋回方向に押し出すように移動させる。
【０００６】
しかしながら、このような実証試験において、撹拌翼が旋回し、チップ７及び汚物２７を旋回方向に押し出すように移動させると、徐々にチップ７及び汚物２７は図７（ｃ）、（ｄ）に示すように、寄せ集められて塊３８が発生してしまうという問題があることが分かった。このように、塊３８が発生してしまうと、撹拌して、チップ７及び汚物２７を互いに空気に曝し（曝気し）、酸素を取り入れながら、互いに混合するという、撹拌の本来の目的が達成できない。
【０００７】
本発明は、上記従来の問題を解決することを目的とし、撹拌翼でチップ及び汚物（被処理物）を撹拌する際に生じる塊の発生を防止し、チップ及び被処理物を十分、空気に曝しながら撹拌し混合可能とし、これにより、チップに着床した微生物の働きを高め、十分に被処理物の分解を可能とするバイオ処理装置を実現することを課題とする。
【課題を解決するための手段】
【０００８】
本発明は上記課題を解決するために、円筒形の処理槽と、該処理槽に設けられた水平方向に旋回する撹拌翼とを有し、前記処理槽内に微生物を着床したチップが収容されており、被処理物を前記微生物で発酵させて分解して処理するバイオ処理装置であって、前記撹拌翼の上方において、該処理槽の中心部に向かって水平方向に突出するように堰止板が前記処理槽の内面に固定されており、前記堰止板は、その前面側に前記撹拌翼で旋回方向に押し出される前記チップ及び被処理物を一時的に堰き止めて、前記撹拌翼は、前記堰き止め板の背面側でチップ及び被処理物を旋回方向に押し出して陥没部を形成し、さらに前記堰き止められたチップ及び被処理物を前記堰止板を乗り越えさせて前記陥没部に落とし込むことを特徴とするバイオ処理装置を提供する。
【０００９】
本発明は上記課題を解決するために、円筒形の処理槽と、該処理槽に設けられた水平方向に旋回する撹拌翼とを有し、前記処理槽内に微生物を着床したチップが収容されており、被処理物を前記微生物で発酵させて分解して処理するバイオ処理装置であって、前記撹拌翼の上方において、該処理槽の中心部に向かって水平方向に突出するように堰止板が前記処理槽の内面に固定されており、前記堰止板は、その前面側に前記撹拌翼で旋回方向に押し出される前記チップ及び被処理物を一時的に堰き止めて、前記撹拌翼は、前記堰き止め板の前面側でチップ及び被処理物を旋回方向に押し出して陥没部を形成し、さらに前記堰き止められたチップ及び被処理物を前記陥没部に落とし込むことを特徴とするバイオ処理装置を提供する。
【００１０】
前記堰止板は、前記撹拌翼の旋回方向の反対側の方向に向けて下方に傾斜した堰止部本体と、堰止部本体の上部に形成された水平又は前記撹拌翼の旋回方向の反対側の方向に向けて下方に傾斜した頂部とを備えていることを特徴とする。
【００１１】
前記堰止板は、互いに１８０°間隔をおいて対向配置されていることを特徴とする。
【発明の効果】
【００１２】
以上の構成から成る本発明によると、堰止板の前面側にチップ及び被処理物（汚物又は生ゴミ等）を堰き止めて盛上部を形成してから、堰止板の背面側にチップ及び被処理物の陥没部を形成し、その後、盛上部をこの陥没部に落とし込んで、チップと被処理物を十分に曝気し酸素を供給しながら、撹拌、混合を行うことができるから、チップに着床した微生物の働きを高め、被処理物の分解を効果的に行うことができる。
【発明を実施するための最良の形態】
【００１３】
本発明に係るバイオ処理装置を実施するための最良の形態を実施例に基づいて、図面を参照して以下に説明する。以下の実施例は、介護用のバイオトイレに適用したバイオ処理装置であり、被処理物は、人から排泄された汚物である。
【実施例】
【００１４】
図１は、本発明に係るバイオ処理装置の実施例を説明するためのバイオトイレ１の全体構成を説明する図であり、図１（ａ）、（ｂ）は、それぞれバイオトイレ１の平面図及び側部断面を示す図である。
【００１５】
このバイオトイレ１は、フレーム２を有し、このフレーム２内にバイオ処理装置３が配置されている。このバイオ処理装置３は、円筒形の処理槽５が支柱４で支持されて設けられている。処理槽５内には、後述する撹拌翼６が設けられており、処理槽５の７分目程度、チップ７（木質チップ）が充填されている。
【００１６】
このチップ７は、木材を細かく粉砕して形成された木屑状の木質チップで、例えば、杉の木の木屑を利用した杉チップ等であり、微生物の着床材としの機能を有し、被処理物である汚物の発酵、分解処理を促進するものである。本実施例で利用するチップ７は、例えば、予め微生物を着床した杉チップである。
【００１７】
処理槽５の底部の外面には、電気ヒータ８が付設されており、例えば、処理槽５が５０〜６０℃に加熱され、被処理物である汚物の発酵、分解が促進されるように構成されている。
【００１８】
処理槽５には、空気供給手段と排気浄化手段が設けられている。空気供給手段と排気浄化手段は、本発明に係るバイオ処理装置３の課題を解決するための本質的な構成ではないので詳細な説明は省略するが、以下図１（ｂ）及び図２（ｂ）を参照して簡単に説明しておく。図２（ｂ）は空気及び排気の流れを説明するブロック図である。
【００１９】
空気供給手段は、給気用ポンプ９を有し、この給気用ポンプ９により、空気を給気管１０を介して後記する駆動機構２４の駆動軸２４’及び回転軸２１の軸心を貫通するように形成された給気孔２１’に送気し、回転軸２１の上端部周面に形成された給気孔２１’に連通する噴出口２１”から処理層５内に空気を噴出するように構成されている。
【００２０】
排気浄化手段は、１又は２以上の排気口１１、これらの排気口１１に連通する排気管１２、排気管１２に連通する排気処理部１４、排気用ポンプ１５、及び接続管１３を有する。接続管１３は、排気処理部１４を給気用ポンプ９及び排気用ポンプ１５にそれぞれ連通する。処理層５内で発生するガスは、排気口１１から排気管１２を通して排気処理部１４に排気される。排気処理部１４で排気が活性炭により浄化され、その一部は接続管１３を通して給気用ポンプ９に送気するとともに、残りは接続管１３及び排気用ポンプ１５から外部に排気される。
【００２１】
バイオ処理装置３の上方には、フレーム２の上枠部１６にトイレの便座１７及びトイレ蓋１８が配設されている。フレーム２の上部の背部から側方さらにステップ１９（足台）まで、手摺り部２０が取り付けられている。
【００２２】
処理槽５の底部には、撹拌翼６が垂直な回転軸２１に取り付けられ、処理槽５の底面に沿って水平に旋回可能に設けられている。撹拌翼６は、互いに１８０度間隔を置いて対向配置された第１の撹拌翼部２２及び第２の撹拌翼部２３を備えており、回転軸２１に固定されている。この撹拌翼６の回転軸２１は、処理槽５の底部の中央において処理槽５内に垂直に突設するように設けられている。
【００２３】
回転軸２１は、処理槽５の底部の下方に設置されたモータ及び減速機構から成る駆動機構２４により、５〜１０ｒｐｍ程度で減速旋回される。モータは、フレーム２の上枠部に設けられた近接スイッチ２５によりこのバイオトイレ１の使用者の有無を確認し、停止又は作動されるように構成される。
【００２４】
本発明のバイオ処理装置３の特徴的な構成は、処理槽５内において、撹拌翼６の上方に、処理槽５の内面から処理槽５の中心部に向けて水平方向に突き出た堰止板２６が固定されている。ここで、「堰止板」とは、後述するが、処理槽５内において撹拌翼６で旋回方向に押し出されてくるチップ７及び汚物２７（被処理物）を一時的に堰き止める板材を言う。
【００２５】
この実施例では、堰止板２６として、具体的には、第１の堰止板２８及び第２の堰止板２９が、互いに１８０度間隔を置いて対向配置され、処理槽５の内面からそれぞれの先端が処理槽５の中心に向けて水平方向に突き出るように、処理槽５の内面にそれぞれの基端が固定されている。図２には、撹拌翼６と第１及び第２の堰止板２８、２９の配置関係を示す斜視図であり、処理槽５の外形を想像線で示す。
【００２６】
図３は、撹拌翼６と第１及び第２の堰止板２８、２９の関係を示す平面図である。図３（ａ）〜（ｃ）は、処理槽５の内面に固定された第１及び第２の堰止板２８、２９に対して、撹拌翼６が旋回する状態を示す平面図である。図４（ａ）〜（ｃ）は、図３（ａ）〜（ｃ）にそれぞれ対応した、堰止板２６に対して、撹拌翼６が旋回する状態を示す断面図である。この詳細は後述する作用の項で説明する。
【００２７】
これらの図１〜４において、撹拌翼６の第１及び第２の撹拌翼部２３は、それぞれ処理槽５の底面に沿って旋回移動する水平底部３０と、水平底部３０から上方に湾曲状に立ち上がるように形成された立上部３１から構成されている。
【００２８】
この撹拌翼６の上方に配置された第１及び第２の堰止板２８、２９は、それぞれ堰止部本体３２と、堰止部本体３２の上部に連成する（連続的に形成する）頂部３３と、堰止部本体３２の内端から突設された内端突部３４から一体に形成されている。
【００２９】
堰止部本体３２及び頂部３３は、その基端が処理槽５の内面に固定されている。図２〜図４に示すように、堰止部本体３２は水平面に対して前面側（撹拌翼６が近づいてくる側）に向けて下方に傾斜されて傾斜角度は、例えば、４５度である。頂部３３は、水平又は堰止部本体３２程ではないが、若干、水平面に対して前面側に向けて下方に傾斜されている。この堰止部本体３２及び頂部３３は、撹拌翼６で搬送されてくるチップ７及び汚物２７を一時的に堰き止める機能を有するものである。
【００３０】
詳細は後述する動作原理及び作用の項で説明するが、一時的に堰き止められたチップ７及び汚物２７は、さらに撹拌翼６が旋回していく過程で、撹拌翼６の旋回方向に押し出され、頂部３３を乗り越えて堰止板２６の背面側（撹拌翼６が離れていく側）に移動していく。内端突部３４は、撹拌翼６により押し出されて移動する処理槽５の中心部におけるチップ７及び汚物２７を一時的に堰き止める機能を有する。
【００３１】
なお、本実施例では撹拌翼は２つの撹拌翼部を有しているが、１又は２以上の撹拌翼部を有していればよい。又、本実施例では堰止板として２つの堰止板を有しているが、１又は２以上の堰止板を有していればよい。
【００３２】
（動作原理）
以上の構成から成るバイオ処理装置３の一連の動作原理を、チップ７の充填量が多い場合とチップ７の充填量が少ない場合に分けて、図５及び図６において模式的に説明する。
【００３３】
チップ７の充填量が多い場合の動作原理を図５（ａ）〜（ｅ）で説明する。
（ａ）撹拌翼６が旋回しながらチップ７及び汚物２７をその旋回方向であって堰止板２６に向けて押し出していく。堰止板２６の下方、かつやや背面側には滞留しているチップ７及び汚物２７（これを「滞留部３９」という。）がある。
（ｂ）撹拌翼６が堰止板２６に近づくと、チップ７及び汚物２７の移動を阻止して堰き止めるために、チップ７及び汚物２７の盛上部３５が発生する。
【００３４】
（ｃ）撹拌翼６が堰止板２６の下方を通過する際に、滞留部３９を旋回方向に向けて押し出す。
（ｄ）撹拌翼６が滞留部３９を旋回方向に向けて押し出すと、堰止板２６の下方かつ背面側においてチップ７及び汚物２７が少なくなるので陥没部３６が発生し、堰止板２６で堰き止められ盛り上がった盛上部３５が陥没部３６に急激に落下する。この落下に際して、チップ７及び汚物２７が撹拌されるとともに空気と十分に接触して、酸素が供給され、発酵、分解が促進される。
（ｅ）撹拌翼６が堰止板２６を通過して離れてしまうと、落下したチップ７及び汚物２７が撹拌翼６の下方かつやや背面側に滞留し滞留部３９が生じる。
【００３５】
チップ７の充填量が少ない場合の動作原理を図６（ａ）〜（ｅ）で説明する。
（ａ）撹拌翼６が旋回しながらチップ７及び汚物２７をその旋回方向であって堰止板２６に向けて押し出していく。堰止板２６の下方、かつやや前面側には滞留しているチップ７及び汚物２７（これを「滞留部３９」という。）がある。
（ｂ）撹拌翼６が堰止板２６に近づくと、撹拌翼６は滞留部３９を旋回方向に押出すが、堰止板２６がチップ７及び汚物２７の移動を阻止して堰き止めるために、チップ７及び汚物２７の盛上部３５が発生する。
【００３６】
（ｃ）さらに撹拌翼６が旋回し堰止板２６の下方を通過していくと、滞留部３９を旋回方向に向けて押し出すので、堰止板２６の下方、且つ、やや前面側に陥没部３６を発生させる。
（ｄ）撹拌翼６が堰止板２６の下方を通過してから、陥没部３６に滞留部３９の盛上部３５が急激に落下する。この落下に際して、チップ７及び汚物２７が撹拌されるとともに空気と十分に接触して、酸素が供給され、発酵、分解が促進される。
（ｅ）撹拌翼６が堰止板２６を通過して離れてしまうと、落下したチップ７及び汚物２７が撹拌翼６の下方かつやや前面側に滞留し滞留部３９が生じる。
【００３７】
（作用）
以上の動作原理に基づきバイオ処理装置は効率的な撹拌作用を行うが、この作用を実施例のバイオ処理装置３においてチップの充填量が多い場合について、図３及び図４でさらに具体的に説明する。処理槽５内には予め微生物が着床されたチップ７が充填され、ヒータで加熱されている。使用者から排泄された汚物２７は、処理槽５内に落下し、チップ７内に混入し、撹拌翼６で撹拌される。
【００３８】
図３（ａ）、図４（ａ）に示すように、撹拌翼６が旋回しながら第１の撹拌翼部２２がチップ７及び汚物２７を旋回方向に押出しながら第１の堰止板２８に向かって徐々に近づいていくと、第１の堰止板２８でチップ７及び汚物２７を一時的に堰き止める。すると、チップ７及び汚物２７は、第１の堰止板２８の前面側（撹拌翼６が近づいていく側）で堰き止められて徐々に盛り上がり、図４（ａ）に示すように、盛上部３５を発生する。
【００３９】
撹拌翼６がさらに旋回していくと、図３（ｂ）、図４（ｂ）に示すように、第１の撹拌翼部２２は第１の堰止板２８の下方を通過しながら第１の堰止板２８の背面側（撹拌翼６が離れていく側）に存在するチップ７及び汚物２７をさらに旋回方向側に押し出す。すると、図４（ｂ）に示すように、第１の堰止板２８の背面側においてチップ７が押し出されてその堆積量が少なくなるために急激な陥没部３６（落ち込み部）が発生する。
【００４０】
そして、さらに撹拌翼６が旋回し、第２の撹拌翼部２３が第１の堰止板２８に向かって近づいていくと、図３（ｃ）、図４（ｃ）に示すように、チップ７及び汚物２７を第１の堰止板２８の方向に押し出す。すると、第１の堰止板２８の前面側に盛り上げられた盛上部３５が第１の堰止板２８の頂部３３を超えて旋回方向に押し出され、陥没部３６に急激に落ち込んでいく。この急激な落ち込みにより、チップ７と汚物２７は、空気、即ち酸素に十分触れ、しかも、チップ７と汚物２７は十分に撹拌され混合される。
【００４１】
要するに、第１の撹拌翼部２２で形成された盛上部３５が、陥没部３６に落ち込んで盛上部３６がなくなると、第２の撹拌翼部２３で押し出されてくるチップ７と汚物２７が第１の堰止板２８で堰き止められて新たな盛上部３５’が発生する。以下、同様にして第１の堰止板２８の前面側での盛上部３５の発生、第１の堰止板２８の背面側での陥没部３６の発生、盛上部３５の陥没部３６への落ち込み、新たな盛上部３５’の発生という作用が連続的に繰り返される。
【００４２】
以上、第１の堰止板２８の作用について説明したが、第２の堰止板２９についても同様の作用が生じ、第１及び第２の堰止板２８、２９により交互に上記作用が生じることとなる。この結果、チップ７と汚物２７は、塊となるようなことがなく、空気、即ち酸素に十分触れ、しかも、チップ７と汚物２７は十分に撹拌され混合される。
【００４３】
即ち、本発明の処理槽５によれば、堰止板２６の前面側にチップ７及び汚物２７を堰き止めて盛上部３５を形成してから、堰止板２６の背面側にチップ７及び汚物２７の陥没部３６を形成し、その後、盛上部３５をこの陥没部３６に落とし込ませて、チップ７と汚物２７を曝気して、チップ７と汚物２７に十分な酸素を供給しながら、撹拌、混合を行うことができるから、チップ７に着床した微生物の働きを高め、汚物２７の分解をきわめて効率的に行うことができる。
【００４４】
なお、以上のとおり実施例のバイオ処理装置３においてチップの充填量が多い場合について、説明したが、チップの充填量が少ない場合については、ここではその実施例の作用は省略する。しかし、チップの充填量が少ない場合についても、上記動作原理で説明したとおり、堰止板２６の前面側にチップ７及び汚物２７を堰き止めて盛上部３５を形成してから、堰止板２６の前面側に陥没部を形成し、その後、盛上部３５をこの陥没部３６に急激に落とし込ませることで、チップ７と汚物２７を曝気して、チップ７と汚物２７に十分な酸素を供給しながら、撹拌、混合を行うことができ、チップ７に着床した微生物の働きを高め、汚物２７の分解をきわめて効率的に行うことができる。
【００４５】
以上、本発明に係るバイオ処理装置３の最良の形態をバイオトイレに適用した実施例で説明したが、本発明は特にこのような実施例に限定されることなく、例えば、被処理物を生ゴミとして生ゴミ分解処理装置に適用する等、特許請求の範囲記載の技術的事項の範囲内でいろいろな実施例があることはいうまでもない。
【産業上の利用可能性】
【００４６】
本発明に係るバイオ処理装置は、上記のように、チップと汚物を十分に曝気し酸素を供給しながら、撹拌、混合を行うことができ、チップに着床した微生物の働きを高め、汚物の分解を効果的に行うことができる構成であるから、バイオトイレのバイオ処理装置としても好適であるが、バイオトイレに限らず、生ゴミ等の分解処理装置としても好適である。
【図面の簡単な説明】
【００４７】
【図１】本発明に係るバイオ処理装置の実施例のバイオトイレに関する。
【図２】図２（ａ）は本発明に係るバイオ処理装置の実施例の要部を説明する斜視図であり、図２（ｂ）は空気及び排気の流れを説明するブロック図である。
【図３】本発明に係るバイオ処理装置の実施例の要部の構成、作用を説明する平面図である。
【図４】本発明に係るバイオ処理装置の実施例の要部の構成、作用を説明する側部断面図である。
【図５】本発明に係るバイオ処理装置の動作原理を説明する図である。
【図６】本発明に係るバイオ処理装置の別の動作原理を説明する図である。
【図７】従来例の構成、作用を説明する図である。
【符号の説明】
【００４８】
１  バイオトイレ
２  フレーム
３  バイオ処理装置
４  支柱
５  処理槽
６  撹拌翼
７  チップ
８  電気ヒータ
９  給気用ポンプ
１０  給気管
１１  排気口
１２  排気管
１３  接続管
１４  排気処理部
１５  排気用ポンプ
１６  フレームの上枠部
１７  トイレの便座
１８  トイレ蓋
１９  ステップ
２０  手摺り部
２１  回転軸
２１’駆動軸及び回転軸を貫通する給気孔
２１”回転軸の上端部周面に形成された噴出口
２２  第１の撹拌翼部
２３  第２の撹拌翼部
２４  駆動機構
２４’駆動機構の駆動軸
２５  近接スイッチ
２６  堰止板
２７  汚物
２８  第１の堰止板
２９  第２の堰止板
３０  水平底部
３１  立上部
３２  堰止部本体
３３  頂部
３４  内端突部
３５  盛上部
３６  陥没部
３７  従来例のバイオ処理装置 
３８  チップ及び汚物が寄せ集まって生じる塊
３９  滞留部
【図２】
2006000813.tif 000003
【図３】
2006000813.tif 000004
【図５】
2006000813.tif 000005
【図６】
2006000813.tif 000006
【図１】
2006000813.tif 000007
【図４】
2006000813.tif 000008
【図７】
2006000813.tif 000009